(57)【要約】  本発明は、小売場所などにおいて製品またはサービスについての追加的な情報を取得するために、顧客が公共サイネージディスプレイと対話することを可能にするための、小売フロアで公共サイネージに取り付けられたユーザ対話のための追加的な機器を必要としない、方法およびデバイスである。本発明は、公共スペースにおいてディスプレイとの柔軟で動的なユーザ対話を可能にすることができる、公共サイネージコンテンツ配信とそのマネジメントアーキテクチャとの間のセルラ無線ネットワークとの接続を含む。
2011525277.tif 000002
【特許請求の範囲】
【請求項１】
（ａ）公共サイネージキャンペーンを作成するステップと、
（ｂ）公共サイネージキャンペーンをコンテンツレポジトリに記憶するステップと、
（ｃ）公共サイネージキャンペーンを、コンテンツレポジトリから、エンティティにおけるネットワーキングインターフェースモジュールに送信するステップと、
（ｄ）公共サイネージキャンペーンをディスプレイ上で見せるために、ネットワーキングインターフェースモジュールを利用するステップと
を含む、公共サイネージアーキテクチャにおける対話のための方法。
【請求項２】
公共サイネージキャンペーンをコンテンツレポジトリからネットワーキングインターフェースモジュールに送信する前に、公共サイネージキャンペーンの承認を取得するステップ
をさらに含む、請求項１に記載の方法。
【請求項３】
公共サイネージキャンペーンを記憶するために、ディスプレイに近いネットワーク常駐キャッシュを利用するステップ
をさらに含む、請求項１に記載の方法。
【請求項４】
公共サイネージキャンペーンをディスプレイ上で見せるための時間量を決定するために、ネットワーキングインターフェースモジュール内のスケジューラを利用するステップ
をさらに含む、請求項１に記載の方法。
【請求項５】
ディスプレイを見る顧客と対話するために、ネットワーキングインターフェースモジュール内の対話サーバを利用するステップ
をさらに含む、請求項１に記載の方法。
【請求項６】
顧客と対話するためにネットワーキングインターフェースモジュール内の対話サーバを利用するステップが、顧客による電話および電話番号の使用を介して対話サーバにアクセスすることを含む、請求項５に記載の方法。
【請求項７】
ネットワーキングインターフェースモジュールに関連付けられたディスプレイの制御を引き受けるために、顧客によりコードおよび電話を使用するステップ
をさらに含む、請求項６に記載の方法。
【請求項８】
（ａ）サイネージオーサリングシステムと、
（ｂ）サイネージオーサリングシステムに動作可能に接続されたコンテンツレポジトリと、
（ｃ）コンテンツレポジトリに動作可能に接続されたスケジューラ、およびスケジューラに動作可能に接続された対話サーバを、それぞれ有する複数のネットワーキングインターフェースモジュールと、
（ｄ）複数のネットワーキングインターフェースモジュールに関連付けられた複数のディスプレイと
を含む、公共サイネージアーキテクチャ。
【請求項９】
スケジューラが、複数のディスプレイのそれぞれに現れる、コンテンツレポジトリから取得された公共サイネージキャンペーンの時間の長さを制御する、請求項８に記載のアーキテクチャ。
【請求項１０】
サイネージオーサリングシステムに動作可能に接続されたサイネージ承認システム
をさらに含む、請求項８に記載のアーキテクチャ。
【発明の詳細な説明】
【技術分野】
【０００１】
この米国非仮特許出願は、いかなる米国仮特許出願、またはいかなる外国特許出願に対する優先権も主張しない。
【０００２】
本明細書においてなされる開示は、一般に、ネットワーキングドメイン業界に関する。本明細書において説明される本発明は、デジタル公共サイネージに一般分類される。
【背景技術】
【０００３】
デジタル公共サイネージは、潜在的に非常に広い地理的スペースにわたる、複数のディスプレイへのコンテンツの配信を表す、新生のネットワーキングドメインである。顧客にとっては、小売場所または他の類似した場所におけるデジタルサインを利用して、その小売場所において販売されている製品またはサービスについての特定の情報を取得できることが、多くの場合利点である。
【０００４】
小売企業、または他の大勢の聴衆が集まる環境にサービスを提供するネットワークでは、パブリックリレーションズもしくはマーケティング専門家、または他のコンテンツ管理者（たとえば、学校のカリキュラム編成担当者、空港当局、その他）と、クライアント／顧客との直接的な結びつきは、一方向手段を提供することで情報を共有する。アクティブなディスプレイサインが至るところに与えられれば、見る人がディスプレイと対話して、高められた価値を手に入れることを可能にする機会が存在する。
【０００５】
かつて対話は、小売場所におけるサインに取り付けられた装置を介して、扱い難い形で行われていた。典型的に、先行技術では、ナビゲーション手段がサイネージに取り付けられて、小売場所にいる顧客と、パブリックリレーションズまたはマーケティング専門家との対話を可能にする。これはしばしば、キオスクタイプの環境において行われる。このタイプのソリューションは、装置に追加されなければならないキーボードおよびマウスなどの機器の配置のために、高コストとなる。
【０００６】
加えて、ユーザ対話がいくつかの取り付けられた装置を介して可能にされる場合、通常の老朽化、またはユーザによる乱用のために、装置の保守および修理が必要となる。
【０００７】
ユーザ対話のためのそのような装置はまた、物理的なスペースを必要とする。従来の印刷されたサインの多くのサイネージディスプレイ、ならびにアクティブなディスプレイサインは、壁スペースを利用して、アクティブな公共スペースにおいては不足しているフロアスペースに移動および商品の対応をゆだねる。追加的な機器を備えたユーザ対話のエリアに対応することは、難題である。
【０００８】
ユーザの中にはまた、風邪、インフルエンザなどの感染の潜在性を感じるために、他の人が触れ、汚れまたは病原菌を保持している可能性があると考える物理的な装置を使用することに気が進まない人もいる。
【０００９】
いくつかの対話ディスプレイはまた、タッチスクリーン手法を使用するが、これらも前のユーザによって表面に残された皮脂および手垢のために、ディスプレイを見えにくくする。
【００１０】
最後に、いくつかのディスプレイは、相互接続された装置が物理的に離れていることになるエリアに配置されなければならない。そのような状況では、ユーザになり得る人とって、制御装置がどこにあるのかを知ることは難題となる。
【００１１】
したがって、当技術分野において、小売場所などにおいて製品またはサービスについての追加的な情報を取得するために、顧客が公共サイネージディスプレイと対話することを可能にするための、小売フロアで公共サイネージディスプレイに取り付けられたユーザ対話のための追加的な機器を必要としない、使用に都合よく、信頼でき、かつ廉価な方法／デバイスの必要性がある。
【発明の概要】
【発明が解決しようとする課題】
【００１２】
本発明は、小売場所などにおいて製品またはサービスについての追加的な情報を取得するために、顧客が公共サイネージディスプレイと対話することを可能にするための、小売フロアで公共サイネージディスプレイに取り付けられたユーザ対話のための追加的な機器を必要としない、方法およびデバイスである。
【課題を解決するための手段】
【００１３】
本発明は、公共スペースにおいてディスプレイとの柔軟で動的なユーザ対話を可能にすることができる、マネジメントアーキテクチャとセルラ無線ネットワークとの接続を可能にする。
【００１４】
最新のセルラ電話のリッチディスプレイ特性は、単純なキー押下を越えた、ユーザの手中でのリッチユーザインターフェースを見込んでいる。セルラ電話のディスプレイベースの拡張は、大型ディスプレイ上での広告要素に反応する（ｅｃｈｏ）ことができる、アイコン、グラフィック、およびビデオまたは音声によるインターフェースを含む。
【００１５】
多くのディスプレイ環境（たとえば、小売店舗、モールスペース、空港）は、単一の場所を囲んで点在する多くのディスプレイを有する。したがって、ディスプレイは、見つかりにくいリソースではない。顧客が１つのディスプレイに近づき、対話型セッションを開始すると、そのディスプレイは、その役目（および他の顧客）から、残りのディスプレイ上でコンテンツを提示し続ける／見続ける能力を奪うことなく、使用されることができる。
【００１６】
この発明の好ましい実施形態は、アドレス指定可能なディスプレイが、ディスプレイごとの一意の識別子、および電話番号、「ハンドル」または他の一意のリソースインジケータを有することを提案する。最も単純な対話が、ポストされた番号へのセルラ電話コール、次いで一意のディスプレイ番号のキー入力によって開始される。そのディスプレイは、サイトにおける一連のディスプレイから素早く切り離され、対話型セッションは、そのセッションがグループのすべてのディスプレイ上で共有されることなく、開始されることができる。
【００１７】
本発明の好ましい実施形態において、大型ディスプレイとの対話は、プライベートなセッションではないことになる。大型ディスプレイのサイズは、至近距離での場合に、他の人もまたそれを見ることができることを意味する。好ましい実施形態において、対話は、個人的な情報のディスプレイ（たとえば個人的な金銭情報）は意図されていないので、これは問題にならない。
【００１８】
しかしながら、対話性が、顧客を、ディスプレイ上のマーケティングコンテンツとより結びついた気持ちにさせ、それにより、潜在的により購入しそうな気持ちにさせることになる。セッションを見ている他の人もまた、ディスプレイと対話せずにはいられない気持ちになることがあり、他の人々が特定の部類の製品に関心を持っているのを見ることができる。関心を共有する類似した人口動態の人々の傾向を考えると、これもまた、売り上げの増加をもたらすことができる。
【００１９】
消費者の中には、大型の公共ディスプレイと対話する能力に強く印象付けられることになる人もいる。対話のために都市の大型広告版を占有することができる、またはコンテンツをブラウズすることができる影響力は、多くの消費者にとって刺激的な眺めである。
【００２０】
そのようなディスプレイとのユーザ対話に対して、対話が一人のユーザのみによって操作されていることから、そのような対話は、表示されるコンテンツの価値を減少させることになると直感的に反応する人もいる。しかしながら、ブラウズ可能なすべてのコンテンツはその製品に関連していることになるので、それは観衆にブランドおよび製品を見せる目的にすべてかなう。この発明は、広告版およびサイネージの人々の見方を劇的に変化させることができる。広告版タイプのディスプレイとの対話が、それらを、無視される受動的なものから、吟味されるプラットフォームへと変化させる。
【００２１】
この発明の主要な目的は、小売場所などにおいて製品またはサービスについての追加的な情報を取得するために、顧客が公共サイネージディスプレイと対話することを可能にするための、小売フロアで公共サイネージディスプレイに取り付けられたユーザ対話のための追加的な機器を必要としない、方法およびデバイスを提供することである。
【００２２】
この発明の別の目的は、小売場所などにおいて製品またはサービスについての追加的な情報を取得するために、顧客が公共サイネージディスプレイと対話することを可能にするための、余計な保守または修理を必要としない、方法およびデバイスを提供することである。
【００２３】
この発明の別の目的は、小売場所などにおいて製品またはサービスについての追加的な情報を取得するために、顧客が公共サイネージディスプレイと対話することを可能にするための、フロアスペースの使用を最小限にする、方法およびデバイスを提供することである。
【００２４】
この発明の別の目的は、小売場所などにおいて製品またはサービスについての追加的な情報を取得するために、顧客が公共サイネージディスプレイと対話することを可能にするための、公共サイネージを制御するための物理的に離れたキオスクまたは他の装置を必要としない、方法およびデバイスを提供することである。
【００２５】
この発明の別の目的は、小売場所などにおいて製品またはサービスについての追加的な情報を取得するために、顧客が公共サイネージディスプレイと対話することを可能にするための、実装、保守、または製造するのに比較的廉価である、方法およびデバイスを提供することである。
【００２６】
この発明の別の目的は、小売場所などにおいて製品またはサービスについての追加的な情報を取得するために、顧客が公共サイネージディスプレイと対話することを可能にするための、小売フロアで公共サイネージに取り付けられたユーザ対話のための追加的な機器を必要としない、信頼できる方法およびデバイスを提供することである。
【００２７】
この発明の別の目的は、小売場所などにおいて製品またはサービスについての追加的な情報を取得するために、顧客が公共サイネージディスプレイと対話することを可能にするための、小売フロアで公共サイネージディスプレイに取り付けられたユーザ対話のための追加的な機器を必要としない、使用に都合よい方法およびデバイスを提供することである。
【００２８】
この発明の別の目的は、最も適切なスペース、すなわち小売敷地において、マーケティングおよびマネジメントを顧客との直接接触に変換する、迅速で、応答性に優れた、適応可能な販売促進能力を提供するための、方法およびデバイスを提供することである。
【００２９】
この発明の別の目的は、公共サイネージディスプレイと対話するユーザが、公共サイネージディスプレイについての情報と結びつき、それを掌握している気持ちになることを可能にする、方法およびデバイスを提供することである。
【００３０】
この発明の別の目的は、顧客が公共サイネージディスプレイと対話することを可能にするための、公共サイネージキャンペーンのマーケティング部門からの小売店舗における販売時点の分離、および広告する時点と購買時点との分離を最小限にする、方法およびデバイスを提供することである。
【００３１】
本発明の別の目的は、企業、政府、組織、およびその他に提案されることができる、公共サイネージディスプレイのための収益生成サービスを有するキャリアを提供することである。
【００３２】
本発明のさらに別の目的は、政府、組織などが、障害許容力のある、集中型のアーキテクチャにおいて、緊急通信を送信する手段もまた提供しながら、実用的なコンテンツを配信することができる、公共サイネージディスプレイのための方法およびデバイスを提供することである。
【図面の簡単な説明】
【００３３】
【図１】本発明の公共サイネージアーキテクチャの好ましい実施形態を表す図である。
【図２】本発明の好ましい実施形態のネットワーキングインターフェースモジュールのコンポーネント部分を表す図である。
【図３】本発明の公共サイネージアーキテクチャの代替実施形態を表す図である。
【発明を実施するための形態】
【００３４】
図１は、本発明の公共サイネージアーキテクチャの好ましい実施形態の図を表す。百貨店、小売店、または他のエンティティ１１のための複数のディスプレイ１４が示されている。ディスプレイ１４は、公共サイネージアーキテクチャ（ＰＳＡ）のエンドユーザの目に見える要素である。ローカルルータ１０が、個々のディスプレイ１４を、ネットワーキングインターフェースモジュール２４を介してネットワークに接続する。ネットワーキングインターフェースモジュール２４は、ディスプレイ１４と一体化されることができ、または代替として、ネットワーキングインターフェースモジュール２４は単にパーソナルコンピュータであってもよいが、これはよりコストがかかり、最適ではないソリューションとなる。
【００３５】
このエンティティ１１は、それ自体のローカルＰＳＡ、および付随するネットワークを所有することができるが、キャリア、または他のサービスプロバイダを介して、システムおよびサービスを購入していてもよい。大型のエンティティ、またはキャリアソリューションは、ネットワーク全体にわたってキャッシュするコンテンツを含んで、伝送コストを制御し、より応答性に優れた動作を作成することになる。
【００３６】
マーケティングヘッドオフィス１２におけるマーケティング専門家が、サイネージキャンペーンを作成し、それをマネジメントと共有する。サイネージキャンペーンの承認が受けられると、サイネージキャンペーンが開始される。サイネージキャンペーン用に関連付けられた画像およびコンテンツが、マーケティングヘッドオフィス１２からレポジトリ１３に送信され、レポジトリ１３は、ネットワークを介してエンティティ１１などの小売場所によってアクセス可能な、コンテンツおよび関連付けられたディスプレイタイミング、ならびにナビゲーション情報を保持する。
【００３７】
サイネージキャンペーンに用に関連付けられた画像およびコンテンツは、中央キャッシュまたはコンテンツレポジトリ１３から、インターネットまたは他のネットワーク上で、エンティティ１１などの数１００もの小売店舗における、ディスプレイ１４などの数１０００ものディスプレイへと送出される。
【００３８】
ローカルルータ３０、ネットワーキングインターフェースモジュール３４、およびディスプレイ３５を備えた小売店舗１５、ならびにローカルルータ４０、ネットワーキングインターフェースモジュール４４、およびディスプレイ４５を備えた小売店舗１６などの追加的な場所もまた、複数のルータ１７を介したネットワークを経由して、コンテンツレポジトリに接続されている。
【００３９】
ネットワーク常駐キャッシュ２０ａ、２０ｂ、２０ｃ、および２０ｄは、ディスプレイの近くに設置されて、中央キャッシュ／コンテンツレポジトリ１３におけるボトルネックに対処することなく、コンテンツの配信を支援する。ネットワーク常駐キャッシュ２０ａおよび２０ｃは、ネットワーク内にあり、一方で、ネットワーク常駐キャッシュ２０ｂおよび２０ｄは、小売店舗のＬＡＮ上にある。
【００４０】
図２は、本発明の好ましい実施形態のネットワーキングインターフェースモジュールのコンポーネント部分の図を表す。好ましい実施形態のネットワーキングインターフェースモジュール２４は、スケジューラ５０と、対話サーバ５１とを含む。
【００４１】
それぞれのネットワーキングインターフェースモジュール２４のスケジューラ５０は、ネットワーク常駐キャッシュに動作可能に接続し、サイネージキャンペーンの特定の画像またはビデオコンテンツが各ディスプレイ上で見せられる時間量を決定する。スケジューラ５０は、各コンテンツ効果のディスプレイのためのタイミング情報、ならびに他のサイネージキャンペーンコンテンツに関連するタイミングを担当する。
【００４２】
それぞれのネットワーキングインターフェースモジュール２４の対話サーバ５１は、小売場所においてディスプレイを見る消費者が、表示されている特定のコンテンツまたは関心のあるアイテムにアクセスし、コンテンツレポジトリおよび／またはネットワーク常駐キャッシュから表示される製品またはサービスについての追加的な情報を取得することを可能にする。対話サーバ５１はまた、顧客が所与の製品についての追加的な情報を捜し出そうとするときに、スケジューラ５０に接続して、特定のディスプレイ上の通常のコンテンツを停止する。対話サーバ５１およびスケジューラ５０がそれらに基づいて動作するタイミング情報、コンテンツ、および対話情報はすべて、最初の、または後に続くいずれかのディスプレイキャンペーンの配信を介して、レポジトリ１３から入手される。
【００４３】
図１に示される好ましい実施形態の１つの実装では、サイネージキャンペーンは、販売促進およびある種の衣類を表す、画像およびテキストから構成されている。サイネージキャンペーンは、マーケティングヘッドオフィス１２のサイネージオーサリングシステムを使用してマネジメントによって承認され、コンテンツレポジトリ１３に送信されて、大陸を横断してエンティティ１１、小売店舗１５、および小売店舗１６に転送される。
【００４４】
サイネージキャンペーンは、ネットワークルータ１７、ローカルルータ１０、３０、および４０を介してネットワークを横断し、より都合よく効果的にアクセスされる記憶のために、エンティティ１１、小売店舗１５、および小売店舗１６のディスプレイ１４、３５、および４５に近いネットワーク常駐キャッシュ２０ａ、２０ｂ、２０ｃ、および２０ｄの中に移動する。ネットワークインターフェースモジュール２４、３４、および４４のスケジューラが、特定の時間量の間、ネットワーク常駐キャッシュ２０ａ、２０ｂ、２０ｃおよび２０ｄからの特定のコンテンツのディスプレイを許可する。
【００４５】
エンティティ１１に入る顧客が、エンティティ１１のあちらこちらの多くの異なる場所で、彼を取り囲むサイネージディスプレイ１４を見る。やがて、顧客は、シャツなどの自分が関心を持つアイテムが表示されているのに気付くことができる。彼がそのシャツについてさらなる情報を望む場合、ポケットからセル電話を取り出し、該当するディスプレイ１４のうちの１つの下部に表示されている番号（たとえば８００  ５５５−１２１２）にダイヤルして、ネットワーキングインターフェースモジュール２４のうちの１つにある対話サーバに到達する。彼は次いで、６桁のサインＩＤ（たとえば１２３４５６）を入力して、所与のディスプレイ１４のうちの選択された１つを制御する。
【００４６】
ディスプレイ１４のうちの選択された１つは、理想的には、顧客が後ろに下がった状態で見るのに快適な距離、おそらく小さなディスプレイであれば１もしくは２メートル、または非常に大型のディスプレイであれば数十メートル離れた、顧客の頭上の壁に据え付けられている。ディスプレイ１４のうちの選択された１つは、いくつかのオプション（たとえば、各々に関連付けられた番号が振られた利用可能なさまざまなアイテムの写真）を提示する。対話に関連付けられた任意の音声があってもよく、なくてもよい。ディスプレイ１４のうちの選択された１つに付随する音声がある場合、好ましい実施形態において、音声は、セルラ電話の電話器のみで聞かれることができる。ディスプレイ１４のうちの選択された１つが関心のあるシャツを見せるとき、顧客は、自分の電話のキーパッド上でシャツのための付随するコードを選択して、選択されたネットワーキングインターフェースモジュール２４、ローカルルータ１０、およびネットワークルータ１７を介してネットワーク常駐キャッシュ２０ｃにアクセスして、シャツについての追加的な情報を表示することができる。
【００４７】
次に、関心のあるシャツの画像が、ディスプレイ１４のうちの選択された１つの下部に、カラーの布地見本と共に表示されて、利用できるシャツの色揃えを見せる。顧客は次いで、シャツに関連付けられた別の番号を押下して、エンティティ１１の中にあるシャツへの道順を取得することができる。ディスプレイ１４のうちの選択された１つは、エンティティ１１の店内案内図を見せ、紳士シャツ売り場が見つかるようにその場所をハイライト表示する。
【００４８】
別の顧客が、ディスプレイ１４のうちの選択された１つを見ており、同様に選択されたシャツを気に入った場合、彼もまたエンティティ１１の中にあるシャツの場所に気付くことができ、両方の顧客は、シャツを購入するために紳士売り場に歩いて行くことができる。
【００４９】
本発明の一代替実施形態は、小売場所におけるすべてのディスプレイを使用して、たどるべき経路をユーザに提供する。数分の間、各ディスプレイは、小売場所の適切な売り場に到着するために移動する道順を示す矢印を備えた、シャツの小さなサムネイルを含む。顧客は、選択されたシャツを収容する店舗のエリアまでずっと、サムネイルによるサインをたどることができる。
【００５０】
本発明の別の代替実施形態は、セルラ電話のカメラと対話するコンテンツにおける２次元（２Ｄ）バーコードをディスプレイハウジング上で物理的に使用して、ディスプレイの制御を可能にするように対話を開始する。これは、バーコード情報に符号化された、電話番号、またはワールドワイドウェブのユニバーサルリソースロケータ（ＵＲＬ）のいずれかを有することによって実装されることができ、少ないユーザの手間でセルラ電話が接続できるようにする。
【００５１】
一実施形態では、各ディスプレイは、ネットワーク上で別個にアドレス指定可能なエンティティである。店舗のネットワークは、より大きな大陸規模のネットワークに接続する。ネットワークは、おそらくＭＰＬＳ  ＶＰＮを使用する公共ネットワーク、または他のバーチャルリンクの形式が混合したものである。レイヤ４より下位の接続性の詳細に関わらず、公共サイネージアーキテクチャは、オーサリングおよび承認システムと、コンテンツ店舗と、分散されたキャッシングと、スケジューラとを含む。コンテンツは、適切な時間に適切なスクリーンに送信され、スクリーンは、階層方式において仮想的にサブグループに組み合わせられる。
【００５２】
マーケティングヘッドオフィスからディスプレイへの公共サイネージキャンペーンの配信、およびセルラ電話のアクセスは、異なる手段を介してよい。ディスプレイは、カテゴリに基づいたマルチキャストグループに結合されることができ、一方で個々の対話は、ユニキャストベースのセッションである。ＩＧＭＰコマンドが、グループからあるディスプレイを取り出して個々のセッションを開始する、またはディスプレイを個別化されたセッションの完了に続くディスプレイのグループに再結合する。アーキテクチャは、アクセスノード要素、または住宅のラストマイルの制約なしに、ＩＰＴＶアーキテクチャに類似して動作する。
【００５３】
別の実施形態では、ピアツーピアコンテンツ配信が、広く散らされたディスプレイ地点へのディスプレイコンテンツの移動を容易にするために使用されることができる。この方式では、マーケティングコンテンツが作成されて、多くのディスプレイ地点に供給され、そのコンテンツはネットワークの中間地点にキャッシュされて、集中型のコンテンツレポジトリを必要とせずに、配信を可能にする。そのような方式は、より良い障害許容力を提供し、ネットワークの停止、およびボトルネック地点における輻輳に対する影響の受けやすさを低下させる。
【００５４】
代替として、ＸＭＬルートのネットワークにおけるディスプレイが、パブリッシュ／サブスクライブ技術を使用する。ディスプレイは、ＸＰＡＴＨクエリの形式において、そのカテゴリ情報を示すサブスクリプションを発行する。コンテンツは、スケジューリングシステムのオーケストレーションによってネットワークにパブリッシュされ、ネットワークにおけるＸＭＬルータが、コンテンツをディスプレイに転送する。
【００５５】
セルラシステムからネットワーキングインターフェースモジュールへのシグナリングは、音声帯域およびデュアルトーンマルチ周波数（ＤＴＭＦ）を介することができ、またはインターネットプロトコル（ＩＰ）対応電話によることもできる。
【００５６】
キャリアのシナリオでは、アーキテクチャは、企業がそのサービスプロバイダからのサービスを使用することを可能にする、ビリング／会計要素を備えた、キャリア運用のアーキテクチャとなる。コンテンツのキャッシングは、トラフィックの負荷を管理するように、ワイドエリアネットワークの周りに非常に効果的に配信されることができる。
【００５７】
非小売環境におけるシナリオは、多くのベンダのうちのいくつかとの対話性を備える、空港における広告販売を含むことができる。
【００５８】
別のシナリオは、学校システムにおけるものであり、そこでは教育委員会が、一都市、または複数の都市にまたがる複数のクラスに教室コンテンツを提供し、一方で、廊下および共同エリアにおける他のディスプレイ上で他の情報を提供することもできる。すべてのディスプレイは、危機の事態のときには、緊急コンテンツに転じることができる。
【００５９】
本発明の用途は幅広く、広告および販売促進から、道案内および公共セキュリティまでの範囲に及ぶ。
【００６０】
図３は、本発明の公共サイネージアーキテクチャの代替実施形態の図を表す。これは、より広いネットワークに接続されることを必要としない、ＰＳＡ６０のスタンドアローンバージョンである。オーサリングおよび承認システム６２が、サイネージキャンペーン用の画像、テキスト、および音声を記憶するためのコンテンツレポジトリ６３を有する。サイネージキャンペーンは、ローカルルータ６７を介して、複数のディスプレイ６５を制御する複数のネットワーキングインターフェースモジュール６４に送信されることができる。
【００６１】
本明細書において説明された方法は、コンピュータ上で実行するプログラム命令を有するコンピュータ可読媒体を含むソフトウェア、ハードウェア、ファームウェア、またはそれらの組合せとして実装されることができることが企図される。本明細書において説明された方法はまた、ハードウェアおよび／またはソフトウェア上のさまざまな組合せにおいて実装されてよい。
【００６２】
本発明の幅広い発明概念から逸脱せずに、上で説明された実施形態に対する変更形態または修正形態がなされてよいことが、当業者によって認識されるであろう。したがって、この発明は、本明細書において説明された特定の実施形態に限定されず、特許請求の範囲において記述されるような本発明の範囲および精神内における、すべての変更形態および修正形態を含むように意図されることが理解されるべきである。
【図１】
2011525277.tif 000003
【図２】
2011525277.tif 000004
【図３】
2011525277.tif 000005
【国際調査報告】
2011525277.tif 000006
2011525277.tif 000007